(57)【要約】      （修正有）【課題】紙サイズの変更を直観的な操作で効率良く行うことができる操作装置及び、この操作装置を含む画像形成装置を提供する。【解決手段】タッチスクリーン１０１が受け付けたマルチタッチ操作（例えば、ピンチ操作）の内容が、タッチスクリーンディスプレイ２０１に表示されたプレビュー画像のうち、特定のプレビュー画像に対するサイズ変更要求であるか否かを判別する。特定のプレビュー画像に対するサイズ変更要求であると判別された場合、操作制御部１０５は、サイズ変更要求の内容に応じて、特定のプレビュー画像のサイズ変更を行う。操作制御部１０５は、また、サイズ変更後のプレビュー画像のサイズに応じて記録材のサイズを変更する。【選択図】図１
2015011647.tif 000002
【特許請求の範囲】
【請求項１】
画像を記録材に記録する画像形成装置と通信可能な操作装置において、
複数の前記画像を表示する表示手段と、
マルチタッチ操作を受け付ける入力手段と、
前記入力手段により受け付けられたマルチタッチ操作の内容が、前記表示手段に表示された前記画像のうち特定の画像に対するサイズ変更要求であるか否かを判別する判別手段と、
前記サイズ変更要求の内容に応じて、前記特定の画像のサイズ変更を行う画像サイズ変更手段と、
前記サイズ変更された画像が記録される記録材のサイズを、当該画像のサイズに応じて変更する記録材サイズ変更手段と、を有することを特徴とする、
操作装置。
【請求項２】
前記判別手段は、前記特定の画像に対するマルチタッチ操作の内容が、当該画像のサイズを変えずに、当該画像が記録される記録材のサイズのみ変更するサイズ変更要求であるか否かを判別するものであり、
前記画像サイズ変更手段は、前記サイズ変更要求が前記記録材のサイズのみ変更するものである場合、これに応じた内容で前記特定の画像のサイズ変更を行うことを特徴とする、
請求項１に記載の操作装置。
【請求項３】
前記判別手段は、前記特定の画像に対するマルチタッチ操作の内容が、当該画像が記録される記録材のサイズは変えずに、当該画像のサイズのみ変更するサイズ変更要求であるか否かを判別するものであり、
前記画像サイズ変更手段は、前記サイズ変更要求が前記画像のサイズのみ変更するものである場合には、これに応じた内容で前記特定の画像のサイズ変更を行うことを特徴とする、
請求項１に記載の操作装置。
【請求項４】
前記画像サイズ変更手段は、前記マルチタッチ操作の内容が前記特定のプレビュー画像に対するサイズ変更要求ではないと前記判別手段により判別された場合、前記表示手段に表示された画像それぞれを、当該表示手段に対して相対的に拡大又は縮小して表示することを特徴とする、
請求項１、２又は３に記載の操作装置。
【請求項５】
前記サイズ変更要求の内容を選択可能に表した画面を、所定のマルチタッチ操作の受け付けを契機に前記表示手段に表示する制御手段をさらに有しており、
前記判別手段は、前記特定の画像に対して前記所定のマルチタッチ操作が行われた場合、前記画面を介して選択されたサイズ変更要求は当該特定の画像に対するものと判別するものであり、
前記画像サイズ変更手段は、前記選択されたサイズ変更要求の内容に応じて、前記特定の画像のサイズ変更を行うことを特徴とする、
請求項１乃至４いずれかの項に記載の操作装置。
【請求項６】
前記画像形成装置において記録可能な記録材サイズを確認する確認手段をさらに有しており、
前記制御手段は、前記サイズ変更要求に応じて変更された変更後の記録材のサイズが  前記確認された前記記録材のサイズに含まれていない場合には、当該変更後の記録材のサイズでは記録できない旨を通知することを特徴とする、
請求項５に記載の操作装置。
【請求項７】
画像を記録材に記録する画像形成装置と通信可能な操作装置において、
複数の前記画像を、複数の領域に分割された中の一の領域に表示する表示手段と、
マルチタッチ操作を受け付ける入力手段と、
前記一の領域に表示された前記画像の中から選択された画像を前記表示手段の他の一の領域にサイズ変更候補として格納する候補管理手段と、
前記入力手段により受け付けられたマルチタッチ操作の内容が、前記サイズ変更候補に対するサイズ変更要求であるか否かを判別する判別手段と、
前記サイズ変更要求の内容に応じて、前記サイズ変更候補に対応する画像のサイズ変更を行う画像サイズ変更手段と、
前記サイズ変更された画像が記録される記録材のサイズを、当該画像のサイズに応じて変更する記録材サイズ変更手段と、を有することを特徴とする、
操作装置。
【請求項８】
前記他の一の領域に格納されたサイズ変更候補の中から、特定のサイズ変更候補を選択する候補選択手段をさらに有しており、
前記画像サイズ変更手段は、前記候補選択手段により選択された前記特定のサイズ変更候補に対応する画像のサイズ変更を行うことを特徴とする、
請求項７に記載の操作装置。
【請求項９】
前記画像サイズ変更手段は、前記候補選択手段により複数選択された前記特定のサイズ変更候補に対応するそれぞれの画像に対して、一括して前記サイズ変更要求の内容に応じたサイズ変更を行うことを特徴とする、
請求項８に記載の操作装置。
【請求項１０】
前記候補管理手段は、前記サイズ変更候補を前記他の一の領域に格納する際に、当該サイズ変更候補に対応する画像の記録材のサイズ別に当該他の一の領域を分割して、分割後の各領域それぞれに格納することを特徴とする、
請求項７、８、又は、９に記載の操作装置。
【請求項１１】
複数の画像を表示する表示手段と、
マルチタッチ操作を受け付ける入力手段と、
前記入力手段により受け付けられたマルチタッチ操作の内容が、前記表示手段に表示された前記画像のうち特定の画像に対するサイズ変更要求であるか否かを判別する判別手段と、
前記サイズ変更要求の内容に応じて、前記特定の画像のサイズ変更を行う画像サイズ変更手段と、
前記サイズ変更された画像が記録される記録材のサイズを、当該画像のサイズに応じて変更する記録材サイズ変更手段と、を有することを特徴とする、
画像形成装置。
【請求項１２】
複数の前記画像を、複数の領域に分割された中の一の領域に表示する表示手段と、
マルチタッチ操作を受け付ける入力手段と、
前記一の領域に表示された前記画像の中から選択された画像を前記表示手段の他の一の領域にサイズ変更候補として格納する候補管理手段と、
前記入力手段により受け付けられたマルチタッチ操作の内容が、前記サイズ変更候補に対するサイズ変更要求であるか否かを判別する判別手段と、
前記サイズ変更要求の内容に応じて、前記サイズ変更候補に対応する画像のサイズ変更を行う画像サイズ変更手段と、
前記サイズ変更された画像が記録される記録材のサイズを、当該画像のサイズに応じて変更する記録材サイズ変更手段と、を有することを特徴とする、
画像形成装置。
【請求項１３】
画像を記録材に記録する画像形成装置と通信可能な操作装置の制御方法であって、
前記操作装置の表示手段が複数の前記画像を表示する工程と、
前記操作装置の入力手段がマルチタッチ操作を受け付ける工程と、
前記入力手段により受け付けられたマルチタッチ操作の内容が、前記表示手段に表示された前記画像のうち特定の画像に対するサイズ変更要求であるか否かを判別する工程と、
前記サイズ変更要求の内容に応じて、前記特定の画像のサイズ変更を行う工程と、
前記サイズ変更された画像が記録される記録材のサイズを、当該画像のサイズに応じて変更する工程と、を有することを特徴とする、
操作装置の制御方法。
【請求項１４】
画像を記録材に記録する画像形成装置と通信可能な操作装置の制御方法であって、
前記操作装置の表示手段が複数の前記画像を、複数の領域に分割された中の一の領域に表示する工程と、
前記操作装置の入力手段がマルチタッチ操作を受け付ける工程と、
前記一の領域に表示された前記画像の中から選択された画像を前記表示手段の他の一の領域にサイズ変更候補として格納する工程と、
前記入力手段により受け付けられたマルチタッチ操作の内容が、前記サイズ変更候補に対するサイズ変更要求であるか否かを判別する工程と、
前記サイズ変更要求の内容に応じて、前記サイズ変更候補に対応する画像のサイズ変更を行う工程と、
前記サイズ変更された画像が記録される記録材のサイズを、当該画像のサイズに応じて変更する工程と、を有することを特徴とする、
操作装置の制御方法。
【請求項１５】
画像を記録材に記録する画像形成装置と通信可能なコンピュータを操作装置として動作させるためのコンピュータプログラムであって、
前記コンピュータを、
複数の前記画像を表示する表示手段、
マルチタッチ操作を受け付ける入力手段、
前記入力手段により受け付けられたマルチタッチ操作の内容が、前記表示手段に表示された前記画像のうち特定の画像に対するサイズ変更要求であるか否かを判別する判別手段、
前記サイズ変更要求の内容に応じて、前記特定の画像のサイズ変更を行う画像サイズ変更手段、
前記サイズ変更された画像が記録される記録材のサイズを、当該画像のサイズに応じて変更する記録材サイズ変更手段、として機能させることを特徴とする、
コンピュータプログラム。
【請求項１６】
請求項１５に記載のコンピュータプログラムをコンピュータで読み取り可能に記録した記録媒体。
【請求項１７】
画像を記録材に記録する画像形成装置と通信可能なコンピュータを操作装置として機能させるコンピュータプログラムであって、
前記コンピュータを、
複数の前記画像を、複数の領域に分割された中の一の領域に表示する表示手段、
マルチタッチ操作を受け付ける入力手段、
前記一の領域に表示された前記画像の中から選択された画像を前記表示手段の他の一の領域にサイズ変更候補として格納する候補管理手段、
前記入力手段により受け付けられたマルチタッチ操作の内容が、前記サイズ変更候補に対するサイズ変更要求であるか否かを判別する判別手段、
前記サイズ変更要求の内容に応じて、前記サイズ変更候補に対応する画像のサイズ変更を行う画像サイズ変更手段、
前記サイズ変更された画像が記録される記録材のサイズを、当該画像のサイズに応じて変更する記録材サイズ変更手段、として機能させることを特徴とする、
コンピュータプログラム。
【請求項１８】
請求項１７に記載のコンピュータプログラムをコンピュータで読み取り可能に記録した記録媒体。
【発明の詳細な説明】
【技術分野】
【０００１】
本発明は、画像形成装置の表示部に表示された画像を操作し、これにより当該画像が印刷される記録材のサイズを変更する技術に関する。
【背景技術】
【０００２】
オフィスやコンビニなどの公共の場で使用されるプリンタ及びデジタル複合機などは、デジタルカメラ、携帯端末のカメラ機能などで撮像した写真画像、インターネットよりダウンロードした文書データ等を印刷する機能を有している。こうしたデジタル複合機などは、読み取り画像、並びに、印刷結果を事前にチェックするための画像（プレビュー画像）を表示するプレビュー機能を有する。また、プレビュー画像を表示する表示部は、ユーザが画面をタッチして操作するタッチスクリーンが用いられる場合が多い。
【０００３】
また、近年、携帯端末はタッチスクリーンディスプレイを搭載し、スマートフォンやタブレットＰＣに代表されるＰＣとほぼ同等の機能を有するものがある。このような携帯端末にプレビュー画像を表示し、携帯端末自身での編集作業等が行われることも想定される。
従来、画像データ等を印刷する際の紙サイズの変更は、プリンタドライバの印刷設定において必要な項目を変更して行われる。この場合、印刷する全てのページに対して印刷設定を行うことにより、印刷する紙サイズが変更される。例えば、Ａ４サイズで作成された画像であっても、プリンタドライバの印刷設定を変更することにより、全てのページをＡ３サイズで出力することができる。
【０００４】
また、特許文献１に開示された画像形成装置のように、タッチスクリーンを搭載した操作部において、ピンチアウト又はピンチインの操作により画像を拡大又は縮小し、これに応じて印刷する画像の紙サイズを変更するというものがある。
【先行技術文献】
【特許文献】
【０００５】
【特許文献１】特開２０１２−１２３０６６号公報
【発明の概要】
【発明が解決しようとする課題】
【０００６】
しかしながら、特許文献１に開示された画像形成装置は、画像を拡大又は縮小して元のサイズとは異なるサイズとした場合に、拡大又は縮小した画像を記録用紙の定型サイズにフィットさせることを容易にするというものである。例えば、冊子などの複数のページを有する印刷ジョブにおいて、ある特定ページの紙サイズのみ変更したい場合がある。この場合、他のページとのサイズ関係を確認しながら、紙サイズを変更することはできない。そのため、ユーザの利便性が損なわれる、という課題が残る。
【０００７】
本発明は、紙サイズの変更を直観的な操作で効率良く行うことができる操作装置及び、この操作装置を含む画像形成装置を提供することを、主たる目的とする。特に、複数ページを有する印刷ジョブにおいて、他のページとの紙サイズ関係を確認しながら、ある特定ページのみ紙サイズを変更することができる操作装置及びこの操作装置を含む画像形成装置を提供する。
【課題を解決するための手段】
【０００８】
本発明の操作装置は、画像を記録材に記録する画像形成装置と通信可能な操作装置において、複数の前記画像を表示する表示手段と、マルチタッチ操作を受け付ける入力手段と、前記入力手段により受け付けられたマルチタッチ操作の内容が、前記表示手段に表示された前記画像のうち特定の画像に対するサイズ変更要求であるか否かを判別する判別手段と、前記サイズ変更要求の内容に応じて、前記特定の画像のサイズ変更を行う画像サイズ変更手段と、前記サイズ変更された画像が記録される記録材のサイズを、当該画像のサイズに応じて変更する記録材サイズ変更手段と、を有することを特徴とする。
【発明の効果】
【０００９】
本発明によれば、複数ページを有する印刷ジョブに応じてディスプレイに表示された複数のページ（画像）の中から、他のページとのサイズ関係を確認しながら、特定のページの紙サイズを変更することができる。これにより、ユーザの利便性を向上することができる。
【図面の簡単な説明】
【００１０】
【図１】画像形成装置の全体の構成例を示す図。
【図２】操作端末の外観の一例を示す図。
【図３】（ａ）、（ｂ）は、プレビュー画像の紙サイズ等を変更する操作を説明するための図。
【図４】（ａ）から（ｈ）は、プレビュー画像の紙サイズ等を変更する操作を説明するための図。
【図５】紙サイズ等の変更処理の動作シーケンスを説明するためのフローチャート。
【図６】特定のプレビュー画像に対する紙サイズ等の変更処理の動作シーケンスを説明するためのフローチャート。
【図７】（ａ）から（ｅ）は、第２実施形態におけるプレビュー画像の紙サイズ等を変更する操作を説明するための図。
【図８】第２実施形態における紙サイズ等の変更処理の動作シーケンスを説明するためのフローチャート。
【図９】（ａ）から（ｄ）は、第３実施形態におけるプレビュー画像の紙サイズを変更する際の操作を説明するための図。
【図１０】第３実施形態における紙サイズの変更処理の動作シーケンスを説明するためのフローチャート。
【図１１】（ａ）から（ｅ）は、第４実施形態における紙サイズ等を変更するプレビュー画像３０２を候補として選択する際の操作例を説明するための図。
【図１２】（ａ）から（ｈ）は、候補として選択したプレビュー画像のうち、いずれに対して紙サイズ等の変更処理を行うかを決定する際の操作例を説明するための図。
【図１３】（ａ）から（ｇ）は、変更処理の対象として決定したプレビュー画像を一括して選択する際の操作例を説明するための図。
【図１４】（ａ）から（ｄ）は、変更処理の対象として決定したプレビュー画像の紙サイズ等を変更する際の操作例を説明するための図。
【図１５】（ａ）から（ｇ）は、オブジェクト編集領域に追加されているプレビュー画像を一括又は個別に選択する際の操作例を説明するための図。
【図１６】（ａ）から（ｈ）は、オブジェクト編集領域に追加されているプレビュー画像の紙サイズ等を一括又は個別に変更する際の操作例を説明するための図。
【図１７】第４実施形態における紙サイズ等の変更処理の動作シーケンスを説明するためのフローチャート。
【図１８】オブジェクト編集領域に追加されているプレビュー画像に対する紙サイズ等の変更処理の動作シーケンスを説明するためのフローチャート。
【発明を実施するための形態】
【００１１】
以下、図面を参照しながら実施形態を説明する。
【００１２】
［第１実施形態］
［画像形成装置の構成］
図１は、本実施形態に係る画像形成装置の全体の構成例を示す図である。図１に示す画像形成装置１０は、例えば原稿の読み取り、複写、印刷、ファクシミリ送受信などの機能を有する多機能印刷機（Ｍｕｌｔｉ  Ｆｕｎｃｔｉｏｎ  Ｐｒｉｎｔｅｒ、以下「ＭＦＰ」という。）である。画像形成装置１０は、読み取り画像、並びに、印刷結果などを事前にチェックするためのプレビュー操作を行うことができる操作装置の一例である操作端末１００と、ＭＦＰ部１２０とを含んで構成される。また、本実施形態の画像形成装置１０においては、一例として操作端末１００と、ＭＦＰ部１２０とが分離可能に構成される。操作端末１００は、ＭＦＰ部１２０と分離している状態においては、例えばインターフェース間で無線回線を介した通信によりプレビュー機能の制御が行われる。なお、操作端末１００は、はじめからＭＦＰ部１２０に付随する構成であっても良い。また、例えばユーザが所有するタブレット等の電子端末を利用する構成であっても良い。本実施形態ではタブレット等の電子端末を利用する構成を例に挙げて、以下、各構成機器の詳細について説明する。
【００１３】
［ＭＦＰ部の内部構成］
図１に示すＭＦＰ部１２０は、ネットワーク通信部１１１、ＣＰＵ１１２、ＲＯＭ１１３、画像処理部１１４、プレビュー画像生成部１１５、メモリ１１６、プリンタ部１１７を含んで構成される。ＭＦＰ部１２０は、また、スキャナ部１１８、アンテナ１１９、データバスＩ／Ｆ（インターフェース。以下同じ。）１１０を有する。
ネットワーク通信部１１１、画像処理部１１４、プレビュー画像生成部１１５、メモリ１１６、プリンタ部１１７、スキャナ部１１８、ＣＰＵ１１２、ＲＯＭ１１３のそれぞれは、内部データ転送バスＩ／Ｆ２０２を介して接続される。内部データ転送バスＩ／Ｆ２０２のバスマスタは、ネットワーク通信部１１１、画像処理部１１４、プレビュー画像生成部１１５、プリンタ部１１７、スキャナ部１１８、ＣＰＵ１１２である。いわゆる、ＤＭＡＣ（Direct Memory Access Controller）に相当するメモリへのデータ転送手段を有する。内部データ転送バスＩ／Ｆ２０２でのデータ転送は、主に各バスマスタからの転送データを、メモリ１１６へ転送する際に使用される。
【００１４】
画像処理部１１４は、操作端末１００より送られる印刷設定に従い、転送された画像データの画像処理を行う。画像処理部１１４により画像処理された画像データは、メモリ１１６へ格納される。プレビュー画像生成部１１５は、メモリ１１６に格納された画像処理後の画像データを読み出し、タッチスクリーンディスプレイ２０１に表示するプレビュー画像を形成する。プリンタ部１１７は、メモリ１１６に格納された画像処理後の画像データを受信し、例えば電子写真方式のプリンタであれば、ＰＷＭ（Pulse Width Modulation）変調によって感光像担持体に潜像形成するレーザパルスを生成する。感光像担持体に潜像形成された画像は、記録材（例えば、紙）に転写・定着される。その後、画像が形成された用紙は、例えば排紙トレイに排出される。スキャナ部１１８は、図示しない読み取りセンサにより原稿を読み取り、デジタルデータ化した画像データをメモリ１１６に格納する。上記した各バスマスタの動作は、ＣＰＵ１１２によって制御され、ＣＰＵ１１２はＲＯＭ１１３に格納されるプログラムによって動作する。
【００１５】
携帯可能な操作端末１００は、例えばデジタルカメラ機能を有するものであり、無線ネットワーク回線（不図示）を介して文書、画像などのデータの授受を行うことができる。なお、画像形成装置１０の操作端末１００として利用するための操作画面表示のための各種データ及びこれらの制御プログラムなどは、例えば無線ネットワーク回線（不図示）を介してダウンロードすることにより、実装することができる。
【００１６】
ユーザは、操作端末１００を介して、プレビュー画像の閲覧、プレビュー画像の編集処理などを行う。ユーザは、また、操作端末１００で撮像した写真などの画像データを、無線通信回線１２１を介してＭＦＰ部１２０へ送信することができる。さらに、無線ネットワーク回線（不図示）を介してダウンロードした文書データ等を印刷する場合、その印刷指示を、無線通信回線１２１を介してＭＦＰ部１２０へ送信する。印刷指示を受信したＭＦＰ部１２０は、ダウンロードされた文書データ等に基づき、印刷に必要な処理を実行する。
【００１７】
［プレビュー画像］
スキャナ部１１８の原稿搭載台（不図示）に載置された原稿は、ＣＰＵ１１２の指示に基づき、読み取りセンサ（不図示）により読み取られる。読み取られたスキャンデータは、デジタルデータに変換され、デジタルデータ化した画像データがメモリ１１６に格納される。ＣＰＵ１１２は、メモリ１１６に格納された画像データを画像処理部１１４に送信する。画像データを受信した画像処理部１１４は、各種画像処理を施した後にプレビュー画像を生成し、生成したプレビュー画像データをメモリ１１６に格納する。メモリ１１６に格納されているプレビュー画像データが無線通信回線１２１を介して操作端末１００へ送信され、当該操作端末１００においてプレビュー画像が表示される。
【００１８】
［操作端末の構成］
図１及び図２を用いて、操作端末１００の構成例について説明する。図２は、操作端末１００の外観の一例を示す図である。図１に示すように、操作端末１００は、タッチスクリーン制御Ｉ／Ｆ１０３、液晶ディスプレイＩ／Ｆ１０４、操作制御部１０５、メモリＩ／Ｆ１０６、メモリ１０７を含んで構成される。操作端末１００は、また、ネットワークＩ／Ｆ１０８、ネットワーク通信部１０９、アンテナ１１０、タッチスクリーンディスプレイ２０１を有する。タッチスクリーンディスプレイ２０１は、タッチパッドの一例であるタッチスクリーン１０１、液晶ディスプレイ１０２を含んで構成される。
【００１９】
図２に示すように、操作端末１００のタッチスクリーンディスプレイ２０１は、透明な材質で形成されたタッチスクリーン１０１と、液晶ディスプレイ１０２とを重ねた２層で構成される。液晶ディスプレイ１０２は、ＭＦＰ部１２０で生成された画像データを含む各種画像を表示する。タッチスクリーン１０１は、ユーザの指先２００、ペン等によるマルチタッチ操作（以下、単に操作と言う。）を受け付け、操作を受け付けたタッチスクリーン１０１上の位置座標を座標情報として検知することができる。
ユーザからの操作は、そのパターンにより画像形成装置１０の動作モードの選択、各種機能の設定、開始又は中止指示、表示画像を編集する際の選択や移動などの処理を割り当てることができる。また、タッチスクリーンディスプレイ２０１に表示された画像データ上におけるタッチ・ドラッグ・ピンチ・フリックといった各操作に応じて処理を割り当てることができる。さらに、画像データ上の任意の位置座標に所定の処理を割り当てることもできる。
【００２０】
タッチスクリーン１０１は、タッチスクリーン制御Ｉ／Ｆ１０３を介して操作制御部１０５に接続される。タッチスクリーン１０１より得られた座標情報は、操作制御部１０５に送信される。液晶ディスプレイ１０２は、液晶ディスプレイＩ／Ｆ１０４を介して操作制御部１０５に接続される。液晶ディスプレイ１０２は、液晶ディスプレイＩ／Ｆ１０４を介して表示する画像データを受信する。
【００２１】
操作制御部１０５は、図示しないＣＰＵ、並びに、各種処理に必要なソフトウェア情報（例えば、アプリケーションプログラム）が書き込まれた不揮発性メモリ等を有しており、操作端末１００の各構成機器を制御するように構成される。なお、制御の際に一時的に保持する必要がある各種データなどは、メモリＩ／Ｆ１０６を介して、メモリ１０７に一時格納される。操作制御部１０５は、タッチスクリーン１０１からの座標情報、メモリ１０７内に格納された一時情報などに基づいて、画像形成に必要な設定情報を生成する。生成された設定情報は、ネットワークＩ／Ｆ１０８及びネットワーク通信部１０９を介して、ＭＦＰ部１２０へ送信される。
【００２２】
［ネットワーク無線通信］
操作端末１００のネットワーク通信部１０９、ＭＦＰ部１２０のネットワーク通信部１１１は、ＷＬＡＮ（Wireless LAN）通信方式による双方向のネットワーク無線通信を行う。ネットワーク通信部１０９にはアンテナ１１０が接続される。また、ネットワーク通信部１１１にはアンテナ１１９が接続される。ネットワーク通信部１０９及びネットワーク通信部１１１のそれぞれは、通信データを転送用のパルス波に変換したり、その逆の変換を行ったりする。
【００２３】
例えば、無線通信回線１２１からアンテナ１１９を介して受信したパルス波は、ネットワーク通信部１１１により通信データに変換され、変換後の通信データは、データバスＩ／Ｆ１１０を介して画像処理部１１４へ送られる。
また、画像処理部１１４からデータバスＩ／Ｆ１１０を介して受信した通信データは、ネットワーク通信部１１１により転送用のパルス波に変換され、アンテナ１１９を介して無線通信回線１２１へ送信される。
【００２４】
［プレビュー画像の紙サイズ等の変更］
ユーザが直感的に、操作端末１００に表示されているプレビュー画像の画像サイズ、並びに、紙サイズを変更する操作について説明する。なお、プレビュー画像に対して行われた画像サイズの変更及び、紙サイズの変更は、元の画像に反映される。そのため、変更後の画像サイズ、紙サイズで印刷が実行される。なお、説明においては、変更前の紙サイズがＡ４サイズである場合を例にする。また、画像形成装置１０において印刷可能な紙サイズをＡ３サイズ、Ａ４サイズ、Ａ５サイズとする。つまり、Ａ４サイズの次に大きい紙サイズがＡ３サイズであり、Ａ４サイズの次に小さい紙サイズがＡ５サイズとして説明を進める。
【００２５】
図３、図４は、本実施形態におけるプレビュー画像の画像サイズ及び、紙サイズを変更する操作を説明するための図である。図３（ａ）は、操作端末１００のタッチスクリーンディスプレイ２０１に、プレビュー表示画面３０１が表示されている様子を示す図である。プレビュー表示画面３０１は、プレビュー画像を表示するオブジェクト表示領域３０３を含んで形成される。
操作制御部１０５は、ＭＦＰ部１２０から受信したプレビュー画像データに基づいて、プレビュー画像をオブジェクト表示領域３０３に表示する。オブジェクト表示領域３０３は、例えば冊子をスキャナ部１１８で読み取って得た複数のスキャンデータに基づいて、複数ページ分のプレビュー画像を表示することができる。
【００２６】
図３（ａ）に示すオブジェクト表示領域３０３には、プレビュー画像３０２Ａから３０２Ｄ（３０２Ｄはその一部）が表示されている。本実施形態におけるオブジェクトとは、プレビュー画像データを表している。また、オブジェクト表示領域３０３には表示されていないが、プレビュー画像３０２Ｄ以降のページとして、プレビュー画像３０２Ｅ、３０２Ｆ等が存在する。
【００２７】
図３（ｂ）は、プレビュー表示画面３０１上をユーザがタップした状態で、スクロール３０４の矢印方向に指先を移動する操作（フリック）を行った場合に、それに合わせて各プレビュー画像が移動して表示される様子を示す図である。それまでオブジェクト表示領域３０３には表示されていなかったプレビュー画像３０２Ｄ、３０２Ｅ、３０２Ｆなどは、ユーザがフリック操作を行うことにより表示される。
以下の説明においては、ピンチアウト操作、つまり、プレビュー表示画面３０１を２つの指先でタップした位置を開始点とし、この２つの開始点を離間させる操作が拡大処理に割り当てられているものとする。また、ピンチイン操作、つまり、プレビュー表示画面３０１を２つの指先でタップした位置を開始点とし、この２つの開始点を近接させる操作が縮小処理に割り当てられているものとする。なお、オブジェクト表示領域３０３に表示される各プレビュー画像を区別する必要がない場合には、プレビュー画像３０２と示す。
【００２８】
オブジェクト表示領域３０３に表示されたプレビュー画像３０２の表示サイズを変更する操作について説明する。表示サイズを変更する場合には、例えば図４（ａ）に示すようなピンチ操作４０１を実行する。具体的には、ピンチ操作４０１は、プレビュー画像３０２が表示されている領域を除くオブジェクト表示領域３０３の任意の位置をタップして、２つの開始点にしている。ピンチ操作４０１は、２つの開始点を矢印で示す方向に離間させるピンチアウト操作である。そのため、図４（ｂ）に示すように、プレビュー画像３０２のそれぞれが、オブジェクト表示領域３０３に対して相対的に拡大されて表示される。なお、ピンチイン操作の場合、オブジェクト表示領域３０３に表示されたプレビュー画像３０２のそれぞれが、当該オブジェクト表示領域３０３に対して相対的に縮小されて表示される。
【００２９】
図４（ｃ）に示すプレビュー画像３０２のうち、プレビュー画像３０２Ｅの紙サイズと、画像サイズとを同時に変更する操作ついて説明する。紙サイズ及び画像サイズを同時に変更する場合には、例えば図４（ｃ）に示すような、プレビュー画像３０２Ｅの外周の右上端と左下端に相当する位置を２つの開始点とするピンチ操作４０２を実行する。ピンチ操作４０２は、２つの開始点を矢印で示す方向に離間させるピンチアウト操作である。そのため、図４（ｄ）に示すように、プレビュー画像３０２Ｅの画像サイズが拡大されると共に、これに合わせて紙サイズがＡ４サイズからＡ３サイズへ変更される。なお、ピンチイン操作の場合、プレビュー画像３０２Ｅの画像サイズが縮小されると共に、これに合わせて紙サイズがＡ４サイズからＡ５サイズへ変更される。
【００３０】
図４（ｅ）に示すプレビュー画像３０２のうち、プレビュー画像３０２Ｅの紙サイズのみ変更する操作について説明する。紙サイズのみ変更する場合には、例えば図４（ｅ）に示すような、プレビュー画像３０２Ｅの外周の左上端と右下端に相当する位置を２つの開始点とするピンチ操作４０３を実行する。ピンチ操作４０３は、２つの開始点を矢印で示す方向に離間させるピンチアウト操作である。そのため、図４（ｆ）に示すように、プレビュー画像３０２Ｅの画像サイズはそのままに、紙サイズのみＡ４サイズからＡ３サイズへ変更される。なお、ピンチイン操作の場合、プレビュー画像３０２Ｅの画像サイズはそのままに、紙サイズのみＡ４サイズからＡ５サイズへ変更される。
【００３１】
図４（ｇ）に示すプレビュー画像３０２のうち、プレビュー画像３０２Ｅの画像サイズのみ変更する操作について説明する。画像サイズのみ変更する場合には、例えば図４（ｇ）に示すような、プレビュー画像３０２Ｅ内の任意の位置を２つの開始点とするピンチ操作４０４を実行する。ピンチ操作４０４は、２つの開始点を矢印で示す方向に離間させるピンチアウト操作である。そのため、図４（ｈ）に示すように、プレビュー画像３０２Ｅの紙サイズはそのままに、画像サイズのみ拡大される。なお、ピンチイン操作の場合、プレビュー画像３０２Ｅの紙サイズはそのままに、画像サイズのみ縮小される。
【００３２】
［プレビュー画像の紙サイズ変更方法シーケンス］
本実施形態におけるプレビュー画像の画像サイズ及び、紙サイズの変更処理の動作シーケンスについて、図５、図６のフローチャートを用いて説明する。なお、図５、図６に示すフローは、操作制御部１０５のＣＰＵによって実行される制御フローである。図５を用いて全体動作を説明し、図６を用いて、ある一つのプレビュー画像３０２に対する紙サイズ変更処理に関する動作シーケンスについて説明する。
【００３３】
操作制御部１０５は、オブジェクト表示領域３０３に、表示オブジェクト、ここではプレビュー画像３０２を表示する（Ｓ１０１）。操作制御部１０５は、ユーザからの操作を、タッチスクリーン１０１の座標情報として検知する（Ｓ１０２）。操作制御部１０５は、ステップＳ１０２の処理で検知した操作が、プレビュー画像３０２の表示サイズを変更するサイズ変更要求の操作（図４（ａ）、（ｂ））であるか否かを判別する（Ｓ１０３）。操作制御部１０５は、ステップＳ１０２の処理で検知した操作が、プレビュー画像３０２の表示サイズのサイズ変更要求を表すピンチ操作であると判別した場合（Ｓ１０３：ＹＥＳ）、ステップＳ１０４の処理へ遷移する。操作制御部１０５は、ピンチ操作の種類（ピンチアウト又はピンチイン）に応じて、プレビュー画像３０２の表示サイズの変更（拡大又は縮小）を行う（Ｓ１０４）。その後、ステップＳ１０２の処理へ戻る。
【００３４】
操作制御部１０５は、プレビュー画像３０２の表示サイズのサイズ変更要求を表す操作ではないと判別した場合（Ｓ１０３：ＮＯ）、ステップＳ１０５の処理へ遷移する。
操作制御部１０５は、ステップＳ１０２の処理で検知した操作が、プレビュー画像３０２に対して紙サイズもしくは画像サイズ（以下、紙サイズ等と示す。）を変更するサイズ変更要求の操作であるか否かを判別する（Ｓ１０５）。具体的には、座標情報に基づいて、ピンチ操作の２つの開始点がある１つのプレビュー画像３０２内に含まれているか否かを判別する。操作制御部１０５は、プレビュー画像３０２に対する紙サイズ等を変更するピンチ操作であると判別した場合（Ｓ１０５：ＹＥＳ）、ステップＳ１０６の処理へ遷移する。
操作制御部１０５は、プレビュー画像３０２の紙サイズ及び画像サイズを同時に変更する処理、紙サイズのみ変更する処理、画像サイズのみ変更する処理のいずれかの処理を行う（Ｓ１０６）。ステップＳ１０６の処理の詳細については、図６に示すフローチャートを用いて後述する。
【００３５】
操作制御部１０５は、プレビュー画像３０２に対する紙サイズ等を変更する操作ではないと判別した場合（Ｓ１０５：ＮＯ）、プレビュー画像３０２をスクロールする操作であるか否かを判別する（Ｓ１０７）。具体的には、オブジェクト表示領域３０３におけるフリック操作であった場合、表示しているプレビュー画像３０２をスクロールする操作であると判別し（Ｓ１０７：ＹＥＳ）、ステップＳ１０８の処理へ遷移する。
操作制御部１０５は、フリック操作の開始位置と終了位置に基づき、オブジェクト表示領域３０３に表示されているプレビュー画像３０２を移動させて表示する（Ｓ１０８）。プレビュー画像３０２の移動の制御は、当該プレビュー画像３０２がそれぞれスライドするように表示する制御でも良いし、例えば３ページ分のプレビュー画像３０２を１セットとして、１セット毎に表示画面を切り替える制御であっても良い。
【００３６】
操作制御部１０５は、ステップＳ１０２の処理で検知した操作が、スクロール操作ではないと判別した場合（Ｓ１０７：ＮＯ）、変更処理を完了するか否かを判別する（Ｓ１０９）。具体的には、プレビュー表示画面３０１上に表示されている完了ボタン（不図示）のタッチ検知、又は、スタートキー（不図示）の押下検知等により処理完了を判別する。変更処理を完了すると判別した場合（Ｓ１０９：ＹＥＳ）、一連の処理を終了する。このとき、操作制御部１０５は、これまでの動作シーケンスで得ているオブジェクトの変更処理に関する設定情報（画像の拡大又は縮小、紙サイズの変更等）を、ＭＦＰ部１２０へ送信する。これにより、変更後の画像サイズ及び、紙サイズで印刷が行われる。また、変更処理を完了しないと判別した場合（Ｓ１０９：ＮＯ）、ステップＳ１０２の処理へ戻る。
【００３７】
図６は、図５に示すステップＳ１０６の処理の詳細を示すフローチャートである。
操作制御部１０５は、プレビュー画像３０２のうち、特定のプレビュー画像３０２に対するピンチ操作の２つの開始点の位置座標（ピンチ位置）を特定する（Ｓ２０１）。２つの開始点の特定は、図５に示すステップＳ１０２の処理の座標情報に基づき特定する。操作制御部１０５は、ステップＳ１０２の処理で検知された操作が、特定のプレビュー画像３０２の紙サイズと、画像サイズとを同時に変更するピンチ操作（例えば、図４（ｃ）、（ｄ））であるか否かを判別する（Ｓ２０２）。特定のプレビュー画像３０２の紙サイズと、画像サイズとを同時に変更するピンチ操作であると判別した場合（Ｓ２０２：ＹＥＳ）、ステップＳ２０３の処理へ遷移する。操作制御部１０５は、ピンチ操作に応じた内容で、特定のプレビュー画像３０２の画像サイズ及び紙サイズの変更を行う（Ｓ２０３）。
これにより、オブジェクト表示領域３０３においては、変更後のサイズでプレビュー画像３０２が表示され、また、印刷においては、変更後の紙サイズで印刷が実行されることになる。つまり、操作制御部１０５は、サイズ変更要求の内容に応じて、オブジェクト表示領域３０３に表示されるプレビュー画像のサイズ変更を行う画像サイズ変更手段として機能する。操作制御部１０５は、さらに、変更後のサイズに応じた紙サイズにより印刷が行われるようにするための記録材サイズ変更手段として機能する。
【００３８】
操作制御部１０５は、特定のプレビュー画像３０２の紙サイズ及び画像サイズを同時に変更する操作でないと判別した場合（Ｓ２０２：ＮＯ）、紙サイズのみ変更するピンチ操作（例えば、図４（ｅ）、（ｆ））であるか否かを判別する（Ｓ２０４）。特定のプレビュー画像３０２の紙サイズのみ変更するピンチ操作であると判別した場合（Ｓ２０４：ＹＥＳ）、ピンチ操作に応じた内容で紙サイズの変更を行う（Ｓ２０５）。これにより、変更後の紙サイズで印刷が実行されることになる。
操作制御部１０５は、特定のプレビュー画像３０２の紙サイズのみ変更するピンチ操作でないと判別した場合（Ｓ２０４：ＮＯ）、ピンチ操作（例えば、図４（ｇ）、（ｈ））に応じた内容で画像サイズの変更（拡大又は縮小）を行う（Ｓ２０６）。
なお、画像サイズのみ変更する処理は、特定のプレビュー画像３０２の余白領域を除いた領域に収まる範囲内で、画像サイズの変更を行うようにしても良い。また、プレビュー画像３０２の余白領域を含む全領域の範囲内で、画像サイズの変更を行うようにしても良い。
【００３９】
例えば、プレビュー画像３０２に対するピンチ操作は全て、紙サイズ及び画像サイズを同時に変更するように実装することもできる。具体的には、ステップＳ２０２の処理の分岐において、必ずステップＳ２０３に分岐するよう制御する。これにより、ユーザは、紙サイズ等を変更する操作において、ピンチ操作の２つの開始点の微妙な位置調整を行う煩わしさが解消される。
なお、以上で説明したピンチ操作の２つの開始点は一例であり、ピンチ操作の２つの開始点の位置を制約するものではない。
【００４０】
このように、本実施形態の操作端末１００では、タッチスクリーンディスプレイ２０１上でピンチ操作を開始する指先の位置（開始点）により、プレビュー画像３０２のうち、特定のプレビュー画像３０２のみ紙サイズ等の変更を行うことができる。紙サイズ等が変更されたプレビュー画像の印刷処理は、変更後の画像サイズ、紙サイズで実行されることになる。ユーザは、他のページ（プレビュー画像）との紙サイズ関係を確認しながら、特定ページのみ紙サイズを変更することができる。また、ピンチ操作の２つの開始点に応じて、プレビュー画像３０２の表示サイズを変更したり、プレビュー画像３０２の画像サイズ及び紙サイズを変更したりすることができる。
【００４１】
［第２実施形態］
本実施形態では、例えば操作端末の表示画面が小さいためピンチ操作における指先の微妙な位置調整が困難である場合に、これを補助する機能を有する操作端末について説明する。具体的には、紙サイズと、画像サイズとを同時に変更する処理、紙サイズのみ変更する処理、画像サイズのみ変更する処理のいずれかの処理を画面上で選択することができる操作端末である。
なお、第１実施形態で既に説明した部分と重複する部分は、同一の符号を付して、その説明を省略する。
【００４２】
［プレビュー画像の紙サイズ変更操作方法］
図７は、本実施形態におけるプレビュー画像の画像サイズ及び、紙サイズを変更する操作を説明するための図である。図７（ａ）に示すように、オブジェクト表示領域３０３に表示されているプレビュー画像３０２のうち、プレビュー画像３０２Ｅに対してピンチ操作７１０を実行する。ピンチ操作７１０を契機に、プレビュー表示画面３０１には、図７（ｂ）に示すようなオブジェクトサイズ変更選択画面７００が表示される。
【００４３】
ここで、オブジェクトサイズ変更選択画面７００について説明する。図７（ｂ）に示すオブジェクトサイズ変更選択画面７００は、「どの処理を行いますか？」との文章の他、タブ７０１、タブ７０２、タブ７０３、タブ７０４を含んで構成される。タブ７０１、７０２、７０３それぞれは、その後のピンチ操作で実行される変更処理を選択するためのタブである。タブ７０１は、紙サイズと、画像サイズとを同時に変更する処理を指定するタブである。タブ７０２は、紙サイズのみ変更する処理を指定するタブである。タブ７０３は、画像サイズのみ変更する処理を指定するタブである。また、タブ７０４は、変更処理を行わずに終了することを指定するタブである。
つまり、特定のプレビュー画像３０２に対するピンチ操作をトリガとして、オブジェクトサイズ変更選択画面７００が表示される。
【００４４】
ユーザは、タブ７０１からタブ７０４のいずれかのタブを選択する。図７（ｃ）は、一例として、タブ７０１が選択されている様子を示している。タブ７０１が選択された場合、その後のピンチ操作により画像サイズ及び、紙サイズが同時に変更されることになる。ユーザは、タブ７０１を選択した後、図７（ｄ）に示すようなピンチ操作７１１を実行する。ピンチ操作７１１は、２つの開始点を矢印で示す方向に離間させるピンチアウト操作である。また、タブ７０１が選択されているため、２つの開始点の位置にかかわらず、図７（ｅ）に示すように、プレビュー画像３０２Ｅの画像サイズが拡大されると共に、それに合わせて紙サイズがＡ３サイズに変更される。
【００４５】
［プレビュー画像の紙サイズ変更方法シーケンス］
本実施形態におけるプレビュー画像の画像サイズ及び、紙サイズを変更する処理の動作シーケンスについて、図８のフローチャートを用いて説明する。なお、図８は、操作制御部１０５のＣＰＵによって実行される制御フローである。また、第１実施形態の動作シーケンスと異なる点は、図５に示すステップＳ１０６の処理、つまり、図６に示す処理が異なるという点である。
【００４６】
操作制御部１０５は、特定のプレビュー画像３０２に対するピンチ操作の受け付けを契機に、プレビュー表示画面３０１にオブジェクトサイズ変更選択画面７００を表示する（Ｓ３０１）。操作制御部１０５は、オブジェクトサイズ変更選択画面７００のいずれのタブ（タブ７０１からタブ７０４）が押下されたかを検知する（Ｓ３０２）。これにより、その後のピンチ操作において実行される変更処理が特定される。操作制御部１０５は、ステップＳ３０２において選択されたタブが、特定のプレビュー画像３０２の画像サイズ及び、紙サイズを変更する処理（タブ７０１）か否かを判別する（Ｓ３０３）。画像サイズ及び、紙サイズを変更する処理であると判別した場合（Ｓ３０３：ＹＥＳ）、その後のピンチ操作に応じた内容で、特定のプレビュー画像３０２の画像サイズ及び紙サイズの変更を行う（Ｓ３０４）。
【００４７】
操作制御部１０５は、特定のプレビュー画像３０２の画像サイズ及び紙サイズを変更する処理でないと判別した場合（Ｓ３０３：ＮＯ）、ステップＳ３０５の処理に遷移する。操作制御部１０５は、特定のプレビュー画像３０２の紙サイズのみ変更する処理（タブ７０２）であると判別した場合（Ｓ３０５：ＹＥＳ）、その後のピンチ操作に応じた内容で、特定のプレビュー画像３０２の紙サイズの変更を行う（Ｓ３０６）。
操作制御部１０５は、特定のプレビュー画像３０２の紙サイズを変更する処理でないと判別した場合（Ｓ３０５：ＮＯ）、ステップＳ３０７の処理に遷移する。
操作制御部１０５は、特定のプレビュー画像３０２の画像サイズのみ変更する処理（タブ７０３）であると判別した場合（Ｓ３０７：ＹＥＳ）、その後のピンチ操作に応じた内容で、プレビュー画像３０２の画像サイズの変更を行う（Ｓ３０８）。また、ステップＳ３０２で検知した処理内容が、タブ７０４の押下、つまり、変更処理を行わないという選択である場合（Ｓ３０７：ＮＯ）、処理を終了する。
【００４８】
このように、本実施形態の操作端末１００は、タッチスクリーンディスプレイ２０１が小さいため、ピンチ操作における指先の微妙な位置調整が困難である場合であっても、プレビュー画像３０２の紙サイズ等の変更を容易に行うことができる。
【００４９】
［第３実施形態］
例えば、操作端末１００において紙サイズが変更されたが、ＭＦＰ部１２０が変更後の紙サイズに対応していない場合であったり、また、対応していたとしても、そのサイズの用紙が切れていたりする場合がある。具体的には、ＭＦＰ部１２０がＡ４サイズの用紙までしか印刷することができないにもかかわらず、操作端末１００において、Ａ４サイズよりも大きいＡ３サイズに紙サイズが変更された場合である。また、Ａ３サイズでの印刷が可能であるため、操作端末１００において紙サイズをＡ３サイズに変更したが、Ａ３サイズの用紙が切れている場合である。本実施形態では、変更後の紙サイズでは印刷することができない旨をユーザに通知することができる操作端末について説明する。
なお、第１、第２実施形態で既に説明した部分と重複する部分は、同一の符号を付して、その説明を省略する。
【００５０】
図９は、本実施形態におけるプレビュー画像の紙サイズを変更する操作を説明するための図である。図９（ａ）に示すように、オブジェクト表示領域３０３に表示されているプレビュー画像３０２のうち、プレビュー画像３０２Ｅの外周の右上端と左下端に相当する位置を２つの開始点とするピンチ操作９１０を実行する。ピンチ操作９１０は、図９（ａ）に示すように、矢印方向に指先を滑らし、２つの開始点を離間するピンチアウト操作である。そのため、プレビュー画像３０２Ｅの紙サイズと画像サイズを拡大しようとしている操作であることが見て取れる。
【００５１】
ここで、ＭＦＰ部１２０にはＡ３サイズの紙が切れているとする。この場合には、図９（ｂ）に示すように、Ａ３サイズでは印刷できない旨のアラート９００を表示する。
また、図９（ｃ）に示すように、アラート９００の戻るタブ９０１を押下すると、図９（ｄ）に示すように、元のオブジェクト表示領域３０３の表示状態に戻る。
【００５２】
本実施形態におけるプレビュー画像の紙サイズを変更する処理の動作シーケンスについて、図１０のフローチャートを用いて説明する。なお、図１０は操作制御部１０５内のＣＰＵによって実行される制御フローである。また、図１０に示すフローは、第１実勢形態で説明した図６に示すステップＳ２０３とステップＳ２０５の各処理、及び、第２実施形態で説明した図８に示すステップＳ３０４とステップＳ３０６の各処理で紙サイズの変更を行った場合に実行される。
【００５３】
操作制御部１０５は、ピンチ操作によりプレビュー画像３０２の紙サイズが変更された場合、その変更が許容できるものか否か、つまり、その紙サイズは印刷可能か否かを判別する（Ｓ４０１）。なお、紙切れ状態を含む、ＭＦＰ部１２０が印刷することができる紙サイズの情報は、無線通信回線１２１を介してＭＦＰ部１２０と操作端末１００とで共有している。この情報に基づいて、紙サイズの変更が許容できるか否かを判別する。
【００５４】
操作制御部１０５は、ピンチ操作により変更した紙サイズが許容できると判別した場合（Ｓ４０１：ＹＥＳ）、処理を終了する。つまり、図６に示すステップＳ２０３とステップＳ２０５の各処理、図８に示すステップＳ３０４とステップＳ３０６の各処理が実行される。
また、ピンチ操作により変更した紙サイズが許容できないと判別した場合（Ｓ４０１：ＮＯ）、つまり、ＭＦＰ部１２０では印刷することができないと判別した場合には、ステップＳ４０２の処理に遷移する。操作制御部１０５は、紙サイズが変更できない旨を表す画面（アラート９００）をプレビュー表示画面３０１に表示する（Ｓ４０２）。その後、戻るタブ９０１の押下の検知を契機に、処理を終了する。
【００５５】
このように、本実施形態の操作端末１００では、変更後の紙サイズがＭＦＰ部１２０では印刷することができない場合、ユーザに対してその旨を通知することができる。
【００５６】
［第４実施形態］
複数ページ分の印刷データの中から、ある特定のページの紙サイズ等を変更する場合には、対象とするプレビュー画像３０２をオブジェクト表示領域３０３に表示する必要がある。
ここで、オブジェクト表示領域３０３には現在、１ページ目から５ページ目までのプレビュー画像３０２が表示されているとする。例えば、ユーザが紙サイズ等を変更するプレビュー画像３０２は、２０ページ目と４０ページ目であるとする。この場合、ユーザは、まず２０ページ目のプレビュー画像３０２をオブジェクト表示領域３０３に表示し、紙サイズ等の変更を行う。その後、表示画面をスクロールさせて４０ページ目のプレビュー画像３０２まで移動し、改めて紙サイズ等の変更を行う必要がある。
【００５７】
ユーザとしては、このような処理をするにあたり、紙サイズ等を変更する変更対象のプレビュー画像３０２を全て選択した後、まとめて紙サイズ等の変更処理を行いたいというユースケースが考えられる。本実施形態では、紙サイズ等を変更するプレビュー画像３０２を候補として予め選択しておき、選択した候補に対して一括して紙サイズ等の変更処理を行うことができる操作端末について説明する。
【００５８】
［プレビュー画像の紙サイズ変更操作方法］
図１１、１２、１３、１４を用いて、本実施形態におけるプレビュー画像の紙サイズ等を変更する操作を説明する。図１１は、紙サイズ等を変更するプレビュー画像３０２を候補（サイズ変更候補）として選択する際の操作例を説明するための図である。図１２は、候補として選択したプレビュー画像３０２のうち、いずれに対して紙サイズ等の変更処理を行うかを決定する際の操作例を説明するための図である。図１３は、変更処理の対象として決定したプレビュー画像３０２を一括して選択する際の操作例を説明するための図である。図１４は、変更処理の対象として決定したプレビュー画像３０２の紙サイズ等を変更する際の具体的な操作例を説明するための図である。
【００５９】
［変更対象のプレビュー画像を選択する操作方法］
図１１（ａ）から図１１（ｅ）を用いて、紙サイズ等を変更するプレビュー画像３０２を候補として選択する際の操作例について説明する。
図１１（ａ）に示すプレビュー表示画面３０１は、プレビュー画像３０２が表示されるオブジェクト表示領域３０３、候補として選択されたプレビュー画像３０２を表示するバッファ領域１１００を含んで構成される。また、図１１（ａ）に示すように、本実施形態においては、バッファ領域１１００は２つに分割されており、それぞれバッファ領域１１０１、１１０２とする。
【００６０】
一例として、図１１（ａ）に示すプレビュー画像３０２Ｄ、プレビュー画像３０２Ｆと、図１１（ｄ）に示すプレビュー画像３０２Ｈのそれぞれを候補として選択する場合について説明する。
ユーザは、図１１（ｂ）に示すように、オブジェクト表示領域３０３に表示されたプレビュー画像３０２Ｄ上の任意の位置１１０３をタップする。そして、タップしたまま、バッファ領域１１０１までドラッグ操作を行い、当該バッファ領域１１０１内の任意の位置１１０４で指先を離してタップを解除する。これにより、プレビュー画像３０２Ｄが候補として選択される。その際、図１１（ｃ）に示すように、プレビュー画像３０２Ｄが候補として選択されたことを表すアイコン１１５０Ｄが、バッファ領域１１０１に格納される。
【００６１】
ユーザは、また、オブジェクト表示領域３０３に表示されたプレビュー画像３０２Ｆ上の任意の位置１１０５をタップする。そして、タップしたまま、バッファ領域１１０２までドラッグ操作を行い、当該バッファ領域１１０２内の任意の位置１１０６で指先を離してタップを解除する。これにより、プレビュー画像３０２Ｆが候補として選択される。その際、図１１（ｃ）に示すように、プレビュー画像３０２Ｆが候補として選択されたことを表すアイコン１１５０Ｆが、バッファ領域１１０２に格納される。
【００６２】
プレビュー画像３０２Ｄと３０２Ｆを候補として選択した後、図１１（ｃ）に示す矢印方向にスクロール操作１１０７を行う。スクロール操作１１０７は、図１１（ｄ）に示すように、プレビュー画像３０２Ｈがオブジェクト表示領域３０３に表示されるまで行う。そして、ユーザは、オブジェクト表示領域３０３に表示されたプレビュー画像３０２Ｈ上の任意の位置１１０８をタップする。そして、タップしたまま、バッファ領域１１０１までドラッグ操作を行い、当該バッファ領域１１０１内の任意の位置１１０９で指先を離してタップを解除する。その際、図１１（ｅ）に示すように、プレビュー画像３０２Ｈが候補として選択されたことを表すアイコン１１５０Ｈが、バッファ領域１１０１に格納される。
【００６３】
図１２（ａ）から図１２（ｄ）を用いて、候補として選択されたプレビュー画像３０２を非選択状態、つまり、候補から除外する操作について説明する。
ユーザは、図１２（ａ）に示すように、バッファ領域１１０１に表示されたアイコン１１５０Ｈ上の任意の位置１１１０をタップする。そして、タップしたまま、オブジェクト表示領域３０３までドラッグ操作を行い、当該オブジェクト表示領域３０３内の任意の位置１１１１で指先を離してタップを解除する。これにより、候補として選択されていたプレビュー画像３０２Ｈが、候補から除外される。その際、図１２（ｂ）に示すように、アイコン１１５０Ｈは、バッファ領域１１０１から削除される。
【００６４】
ユーザは、また、図１２（ｃ）に示すように、アイコン１１５０Ｄ、１１５０Ｈが表示されている領域を除いた、バッファ領域１１０１内の任意の位置１１１２をタップする。そして、タップしたまま、オブジェクト表示領域３０３までドラッグ操作を行い、当該オブジェクト表示領域３０３内の任意の位置１１１３で指先を離してタップを解除する。これにより、候補として選択されていたプレビュー画像３０２Ｄとプレビュー画像３０２Ｈは、一括して候補から除外される。その際、図１２（ｄ）に示すように、アイコン１１５０Ｄとアイコン１１５０Ｈは共に、バッファ領域１１０１から削除される。
【００６５】
ここでは、バッファ領域１１０１における非選択操作について説明した。バッファ領域１１０２においても、同様の操作を行うことができる。なお、バッファ領域１１００は分割せずに１つの領域のままでも良いし、又、３つ以上の領域に分割しても良い。
【００６６】
また、候補として選択した時点のプレビュー画像３０２の紙サイズを識別して、識別された紙サイズの種類の数に応じてバッファ領域１１００を分割する構成にすることができる。ここで、識別された紙サイズ毎にアイコンが格納される場合の例について、図１２（ｅ）から図１２（ｈ）を用いて説明する。
【００６７】
図１２（ｅ）に示すプレビュー表示画面３０１は、プレビュー画像３０２を表示するオブジェクト表示領域３０３、候補として選択されたプレビュー画像３０２を表示するバッファ領域１１００を含んで構成される。一例として、図１２（ｅ）に示すプレビュー画像３０２Ｄ、プレビュー画像３０２Ｆの２つを候補として選択する場合について説明する。なお、選択する時点でのプレビュー画像３０２Ｄの紙サイズはＡ４サイズであり、プレビュー画像３０２Ｆの紙サイズはＡ３サイズであるとする。
【００６８】
ユーザは、図１２（ｅ）に示すように、オブジェクト表示領域３０３に表示されたプレビュー画像３０２Ｄ上の任意の位置１１１４をタップする。そして、タップしたまま、バッファ領域１１００までドラッグ操作を行い、当該バッファ領域１１００の任意の位置１１１５で指先を離してタップを解除する。これにより、プレビュー画像３０２Ｄが候補として選択される。その際、図１２（ｆ）に示すように、プレビュー画像３０２Ｄが候補として選択されたことを表すアイコン１１５０Ｄが、バッファ領域１１００に格納される。
【００６９】
ユーザは、また、図１２（ｇ）に示すように、オブジェクト表示領域３０３に表示されたプレビュー画像３０２Ｆ上の任意の位置１１１６をタップする。そして、タップしたまま、バッファ領域１１００までドラッグ操作を行い、当該バッファ領域１１００の任意の位置１１１７で指先を離してタップを解除する。これにより、プレビュー画像３０２Ｆが候補として選択される。この場合、プレビュー画像３０２Ｄとプレビュー画像３０２Ｆは紙サイズが異なる。そのため、図１２（ｈ）に示すように、バッファ領域１１００は、バッファ領域１１０１とバッファ領域１１０２に分割される。この場合、例えば図１１（ｈ）に示すように、バッファ領域１１０１にはアイコン１１５０Ｄが格納され、バッファ領域１１０２にアイコン１１５０Ｆが格納される。
【００７０】
このように、候補として選択されたプレビュー画像３０２を、紙サイズ毎に各バッファ領域にまとめて格納して表示することにより、紙サイズ等を変更する操作を簡略化することができる。そのため、ユーザの利便性の向上を図ることができる。
【００７１】
［候補の中から実際に紙サイズ等の変更を行う候補の選択］
図１３（ａ）から図１３（ｇ）を用いて、候補として選択されたプレビュー画像３０２の中から、実際に紙サイズ等を変更するものを決定する操作について説明する。
ユーザは、図１３（ａ）に示すように、バッファ領域１１０１の任意の位置１２０３をタッチする。このタッチを契機に、図１３（ｂ）に示すように、プレビュー表示画面３０１にオブジェクト編集領域１２００を表す画面が表示される。オブジェクト編集領域１２００は、プレビュー画像３０２の紙サイズ等を変更するための領域である。オブジェクト編集領域１２００の全選択タブ１２０１は、後述するオブジェクト編集領域１２００に追加されたプレビュー画像３０２の全てを一括して選択するためのタブである。
【００７２】
ユーザは、図１３（ｃ）に示すように、アイコン１１５０Ｄ上の任意の位置１２０４をタップする。そして、タップしたまま、オブジェクト編集領域１２００までドラッグ操作を行い、当該オブジェクト編集領域１２００の任意の位置１２０５で指先を離してタップを解除する。これにより、図１３（ｄ）に示すように、オブジェクト編集領域１２００の領域に追加され、プレビュー画像３０２Ｄが実際に紙サイズ等を変更する対象として決定される。同様にして、アイコン１１５０Ｈをオブジェクト編集領域１２００へドラッグ操作し、プレビュー画像３０２Ｈがオブジェクト編集領域１２００に追加された様子を示したものが、図１３（ｅ）である。
【００７３】
ここで、バッファ領域１１０１に格納されている各アイコンに対応するプレビュー画像３０２を、まとめてオブジェクト編集領域１２００に追加する際の操作例について説明する。ユーザは、図１３（ｆ）に示すように、アイコン１１５０Ｄ、１１５０Ｈが表示されている領域を除いた、バッファ領域１１０１の任意の位置１２０８をタップする。そして、タップしたまま、オブジェクト編集領域１２００までドラッグ操作を行い、当該オブジェクト編集領域１２００の任意の位置１２０９で指先を離してタップを解除する。これにより、図１３（ｇ）に示すように、プレビュー画像３０２Ｄ、３０２Ｈがオブジェクト編集領域１２００に追加され、実際に紙サイズ等を変更する対象として決定される。
【００７４】
図１４（ａ）から図１４（ｄ）を用いて、プレビュー画像３０２がオブジェクト編集領域１２００に追加された後、改めて、変更処理の対象から除外する際の操作例について説明する。
例えば、図１４（ａ）に示すオブジェクト編集領域１２００に追加されているプレビュー画像３０２Ｄを変更処理の対象から除外する場合について説明する。ユーザは、図１４（ａ）に示すように、プレビュー画像３０２Ｄ上の任意の位置１２１０をタップする。そして、タップしたまま、バッファ領域１１０１までドラッグ操作を行い、当該バッファ領域１１０１の任意の位置１２１１で指先を離してタップを解除する。これにより、図１４（ｂ）に示すように、プレビュー画像３０２Ｄはオブジェクト編集領域１２００から削除され、変更処理の対象から除外される。
【００７５】
また、オブジェクト編集領域１２００に追加されているプレビュー画像３０２を、一括して変更処理の対象から除外する際の操作例について説明する。ユーザは、図１４（ｃ）に示すように、プレビュー画像３０２が表示されている領域を除いたオブジェクト編集領域１２００の任意の位置１２１２をタップする。そして、タップしたまま、バッファ領域１１０１までドラッグ操作を行い、当該バッファ領域１１０１の任意の位置１２１３で指先を離してタップを解除する。これにより、図１４（ｄ）に示すように、プレビュー画像３０２Ｄ、プレビュー画像３０２Ｈがオブジェクト編集領域１２００から一括して削除され、変更処理の対象から除外される。
【００７６】
例えば、紙サイズ等を変更する場合、オブジェクト編集領域１２００に追加されている複数のプレビュー画像３０２に対して、同じ変更を行うことがある。この場合、プレビュー画像それぞれに対して個別に変更を行うことに比べて、一括して変更を行う方が効率的である。そこで、図１５を用いて、オブジェクト編集領域１２００に追加されているプレビュー画像３０２を複数個まとめて選択し、選択されたプレビュー画像３０２に対して一括して紙サイズ等の変更を行う際の操作例について説明する。
【００７７】
図１５（ａ）に示すように、オブジェクト編集領域１２００には、既にプレビュー画像３０２Ｄとプレビュー画像３０２Ｈが追加されているものとする。ユーザは、図１５（ｂ）に示すように、指先１３０１で全選択タブ１２０１をタッチする。全選択タブ１２０１がタッチされると、図１５（ｃ）に示すように、オブジェクト編集領域１２００に追加されているプレビュー画像３０２Ｄ、プレビュー画像３０２Ｈが選択された状態になる。図１５（ｃ）では、プレビュー画像３０２Ｄ、プレビュー画像３０２Ｈの外周を太線で表し、それぞれが選択された状態にあることを表している。なお、図示しないが、再び全選択タブ１２０１がタッチされた場合、選択された状態が解除されるように構成することもできる。
【００７８】
オブジェクト編集領域１２００に追加されているプレビュー画像３０２を、１つずつ個別に選択する際の操作例について、図１５（ｄ）から図１５（ｇ）を用いて説明する。
ユーザは、図１５（ｄ）に示すように、プレビュー画像３０２Ｄ上の任意の位置１３０２を指先でタッチする。これにより、図１５（ｅ）に示すように、プレビュー画像３０２Ｄが選択された状態になる。ユーザは、また、図１３（ｅ）に示すように、プレビュー画像３０２Ｈ上の任意の位置１３０３を指先でタッチする。これにより、図１５（ｆ）に示すように、プレビュー画像３０２Ｄに加えて、プレビュー画像３０２Ｈも選択された状態になる。ユーザは、図１５（ｆ）に示すように、既に選択されているプレビュー画像３０２Ｈ上の任意の位置１３０３を、再び指先でタッチする。この場合には、図１５（ｇ）に示すように、プレビュー画像３０２Ｈが選択された状態が解除される。
【００７９】
［選択されたプレビュー画像の紙サイズ等の変更］
図１６を用いて、オブジェクト編集領域１２００に追加されているプレビュー画像３０２の紙サイズ等を変更する操作について説明する。紙サイズ等を変更する操作は、２つの開始点の位置情報、並びに、ピンチ操作の種類に応じたものであり、第１実施形態において既に説明した内容と同じ操作である。なお、第１実施形態の操作と異なる点は、ピンチ操作がオブジェクト編集領域１２００において行われるという点である。
【００８０】
オブジェクト編集領域１２００に追加されているプレビュー画像３０２に対して、個別に紙サイズ等を変更する際の操作例について、図１６（ａ）から図１６（ｄ）を用いて説明する。
図１６（ａ）に示すように、オブジェクト編集領域１２００には、既にプレビュー画像３０２Ｄとプレビュー画像３０２Ｈが追加されているものとする。ユーザは、図１６（ｂ）に示すような、プレビュー画像３０２Ｈの外周の右上端と左下端に相当する位置を２つの開始点とするピンチ操作１４１０を実行する。ピンチ操作１４１０は、２つの開始点を矢印で示す方向に離間させるピンチアウト操作である。そのため、図１６（ｃ）に示すように、プレビュー画像３０２Ｈの画像サイズが拡大されると共に、これに合わせて紙サイズがＡ４サイズからＡ３サイズへ変更される。
【００８１】
図１６（ｄ）は、オブジェクト編集領域１２００において紙サイズ等の変更が終了し、プレビュー表示画面３０１上からオブジェクト編集領域１２００が閉じられた状態を示している。オブジェクト編集領域１２００を閉じる制御は、例えばタッチスクリーンディスプレイ２０１上の完了ボタン（不図示）のタッチ検知等を契機に実行される。
プレビュー画像３０２Ｄについては、紙サイズ等が変更されずに処理が終了している。そのため、図１６（ｄ）に示すように、オブジェクト表示領域３０３に表示されたプレビュー画像３０２Ｄは、Ａ４サイズのままである。プレビュー画像３０２Ｈは、オブジェクト表示領域３０３には表示されていないが、画像サイズが拡大されると共に、これに合わせて紙サイズがＡ４サイズからＡ３サイズへ変更されている。また、プレビュー画像３０２Ｄとプレビュー画像３０２Ｈに対しては、既に紙サイズ等の変更が完了している。そのため、アイコン１１５０Ｄとアイコン１１５０Ｈは、バッファ領域１１０１から削除される。
【００８２】
オブジェクト編集領域１２００に追加されているプレビュー画像３０２に対して、一括して紙サイズ等を変更する際の操作例について、図１６（ｅ）から図１６（ｈ）を用いて説明する。
図１６（ｅ）に示すように、オブジェクト編集領域１２００には、既にプレビュー画像３０２Ｄとプレビュー画像３０２Ｈが追加されており、さらに、プレビュー画像３０２Ｄとプレビュー画像３０２Ｈは、共に変更処理の対象として選択された状態であるとする。
ユーザは、図１６（ｆ）に示すような、プレビュー画像３０２Ｈの外周の右上端と左下端に相当する位置を２つの開始点とするピンチ操作１４１１を実行する。ピンチ操作１４１１は、２つの開始点を矢印で示す方向に離間させるピンチアウト操作である。そのため、図１６（ｇ）に示すように、プレビュー画像３０２Ｈの画像サイズが拡大されると共に、これに合わせて紙サイズがＡ４サイズからＡ３サイズへ変更される。その際、共に変更処理の対象として選択されているプレビュー画像３０２Ｄにおいても、画像サイズが拡大されると共に、これに合わせて紙サイズがＡ４サイズからＡ３サイズへ変更される。
このように、予め複数のプレビュー画像３０２が選択されている状態で、その中の１つのプレビュー画像３０２に対してピンチ操作を行うことにより、選択されている他のプレビュー画像３０２に対しても同じ効果を及ぼすことができる。
【００８３】
図１６（ｈ）は、オブジェクト編集領域１２００における紙サイズ等の変更が終了し、オブジェクト編集領域１２００が閉じられた状態を示している。図１６（ｈ）に示すように、プレビュー画像３０２Ｄ、プレビュー画像３０２Ｈのそれぞれは、画像サイズが拡大されると共に、これに合わせて紙サイズがＡ４サイズからＡ３サイズへ変更されている。また、プレビュー画像３０２Ｄとプレビュー画像３０２Ｈに対しては、既に紙サイズ等の変更が完了している。そのため、アイコン１１５０Ｄとアイコン１１５０Ｈは、バッファ領域１１０１から削除される。
【００８４】
［プレビュー画像の紙サイズ等の変更処理の動作シーケンス］
本実施形態におけるプレビュー画像の画像サイズ及び、紙サイズの変更処理の動作シーケンスについて、図１７、図１８のフローチャートを用いて説明する。なお、図１７、図１８に示すフローは、操作制御部１０５のＣＰＵによって実行される制御フローである。図１７を用いて全体動作を説明し、図１８を用いて、オブジェクト編集領域１２００に追加されているプレビュー画像３０２に対する紙サイズ等の変更処理に関する制御フローについて説明する。なお、図１７に示すステップＳ５０１、Ｓ５０２、Ｓ５０９からＳ５１５の各処理の説明は、第１実施形態の図５におけるステップＳ１０１、Ｓ１０２、Ｓ１０３Ｓ１０９の各処理の説明と重複するため、これらの説明は割愛する。
【００８５】
操作制御部１０５は、ステップＳ５０２の処理で検知した操作が、紙サイズ等を変更する予定のプレビュー画像３０２を候補として選択する操作であるか否かを判別する（Ｓ５０３）。候補として選択（もしくは、選択解除）する操作（例えば、図１１（ｂ）に示すドラッグ操作）であると判別した場合（Ｓ５０３：ＹＥＳ）、ステップＳ５０４の処理へ遷移する。操作制御部１０５は、ステップＳ５０３の処理で候補として選択されたプレビュー画像３０２に対応するアイコン（１１５０）をバッファ領域１１００に格納（もしくは、削除）し、バッファ領域１１００の表示を更新する（Ｓ５０４）。これにより、処理を完了すると、ステップＳ５０２に遷移する。
【００８６】
操作制御部１０５は、プレビュー画像３０２を候補として選択する操作ではないと判別した場合（Ｓ５０３：ＮＯ）、オブジェクト編集領域１２００を表示する操作（例えば、図１３（ａ））であるか否かを判別する（Ｓ５０５）。オブジェクト編集領域１２００を表示する操作であると判別した場合（Ｓ５０５：ＹＥＳ）、オブジェクト編集領域１２００を表示し、バッファ領域１１００に格納されているアイコン（１１５０）の編集処理を行う（Ｓ５０６）。ステップＳ５０６の処理の詳細については、図１６のフロー図を用いて後述する。
【００８７】
操作制御部１０５は、オブジェクト編集領域１２００を閉じる操作を検知したか否かを判別する（Ｓ５０７）。オブジェクト編集領域１２００を閉じる操作を検知した場合（Ｓ５０７：ＹＥＳ）、ステップＳ５０８の処理へ遷移する。また、そうでなければ（Ｓ５０７：ＮＯ）、ステップＳ５０６の処理へ戻る。
【００８８】
操作制御部１０５は、オブジェクト編集領域１２００において紙サイズ等が変更されたプレビュー画像３０２の更新処理を行い、更新後のプレビュー画像３０２をオブジェクト表示領域３０３に表示する（Ｓ５０８）。また、ステップＳ５０７の処理で編集されたプレビュー画像３０２に対応するアイコン（１１５０）を、バッファ領域１１００から削除する。ステップＳ５０８の処理が終了すると、ステップＳ５０２の処理に戻る。
【００８９】
図１８は、図１７に示すステップＳ５０６の処理の詳細を示すフローチャートである。図１８に示す各処理は、図１７に示すステップＳ５０５においてオブジェクト編集領域１２００を表示する操作が行われた場合を契機に開始し、オブジェクト編集領域１２００を閉じる操作が検知されるまでの動作フローである。
【００９０】
また、図１８に示すステップＳ６０５からステップＳ６１１の各処理の説明は、第１実施形態の図５に示すステップＳ１０３からステップＳ１０９の各処理の説明と重複するため、これらの説明は割愛する。なお、本実施形態においては、ユーザからの操作をオブジェクト編集領域１２００において検知し、検知結果に応じた処理が行われる。また、第１実施形態と異なる点は、ステップＳ６０３、Ｓ６０４の処理において、複数のプレビュー画像３０２を選択することができる。例えば、図１５（ｂ）、（ｄ）、（ｅ）、（ｆ）に示す操作である。そのため、ステップＳ６０８の処理では、複数のプレビュー画像に対して一括して処理を行える点で、第１実施形態の場合とは異なる。
【００９１】
操作制御部１０５は、オブジェクト編集領域１２００を表示する操作の検知（Ｓ５０５：図１７）を契機に、オブジェクト編集領域１２００を表示する（Ｓ６０１）。操作制御部１０５は、ユーザからの操作を、タッチスクリーン１０１の座標情報として検知する（ステップＳ６０２）。
操作制御部１０５は、ステップＳ６０２の処理で検知した操作が、オブジェクト、つまり、紙サイズ等を変更するプレビュー画像３０２を選択（もしくは、選択解除）する操作であるか否かを判断する（Ｓ６０３）。具体的には、例えば図１３（ｃ）、（ｄ）、（ｆ）、図１４（ａ）、（ｊ）に示すドラッグ操作、及び、図１５（ｂ）、（ｄ）、（ｅ）、（ｆ）に示す操作などである。紙サイズ等を変更するプレビュー画像３０２を選択（もしくは、選択解除）する操作であると判別した場合（Ｓ６０３：ＹＥＳ）、ステップＳ６０４の処理に遷移する。そして、オブジェクト編集領域１２００へのプレビュー画像３０２の追加もしくは削除、及び、複数選択処理（例えば、図１５（ｂ）、（ｃ））等のオブジェクト管理処理を行う（Ｓ６０４）。ステップＳ６０４の処理が完了すると、ステップＳ６０２の処理に戻る。
【００９２】
操作制御部１０５は、オブジェクトを選択（もしくは、選択解除）する操作ではないと判別した場合（Ｓ６０３：ＮＯ）、ステップＳ６０５に遷移する。
操作制御部１０５は、ステップＳ６０４の処理で複数のプレビュー画像３０２が選択されている場合には、選択された全てのプレビュー画像３０２に対して、紙サイズ等を変更する処理（例えば、図１６（ｆ）、（ｇ））を行う（Ｓ６０８）。
操作制御部１０５は、オブジェクト編集領域１２００におけるプレビュー画像３０２の編集を終了すると判別した場合（Ｓ６１１：ＹＥＳ）、オブジェクト編集領域１２００を閉じる（Ｓ６１２）。
【００９３】
このように、本実施形態の操作端末１００は、紙サイズ等を変更するプレビュー画像３０２を候補として予め選択し、後に一括して紙サイズ等の変更を行うことができる。これにより、ユーザの利便性をさらに向上することができる。
【００９４】
なお、これまでに説明した第１実施形態から第４実施形態では、複数ページで構成される冊子などをＭＦＰ部１２０のスキャナ部１１８で読み取り、読み取って得た画像データに基づくプレビュー画像３０２それぞれに対して、各処理を行う場合を例に説明した。この他、例えばＭＦＰ部１２０に備わる図示しない大容量メモリに格納された画像データに対して、これまでに説明した各処理を行うこともできることは言うまでもない。
【００９５】
上記説明した実施形態は、本発明をより具体的に説明するためのものであり、本発明の範囲が、これらの例に限定されるものではない。
【符号の説明】
【００９６】
１０・・・画像形成装置、１００・・・操作端末、１０１・・・タッチスクリーン、１０２・・・液晶ディスプレイ、１２１・・・無線通信回線、１２０・・・ＭＦＰ部、２００、１３０１・・・指先、２０１・・・タッチスクリーンディスプレイ、３０１・・・プレビュー表示画面、３０２・・・プレビュー画像、３０３・・・オブジェクト表示領域、３０４、１１０７・・・スクロール操作、４０１、４０２、４０３、４０４、７１０、７１１、９１０、１４１０、１４１１・・・ピンチ操作、７００・・・オブジェクトサイズ変更選択画面、９００・・・アラート画面、１２００・・・オブジェクト編集領域画面。
【図１】
2015011647.tif 000003
【図２】
2015011647.tif 000004
【図３】
2015011647.tif 000005
【図４】
2015011647.tif 000006
【図５】
2015011647.tif 000007
【図６】
2015011647.tif 000008
【図７】
2015011647.tif 000009
【図８】
2015011647.tif 000010
【図９】
2015011647.tif 000011
【図１０】
2015011647.tif 000012
【図１１】
2015011647.tif 000013
【図１２】
2015011647.tif 000014
【図１３】
2015011647.tif 000015
【図１４】
2015011647.tif 000016
【図１５】
2015011647.tif 000017
【図１６】
2015011647.tif 000018
【図１７】
2015011647.tif 000019
【図１８】
2015011647.tif 000020